(57)【要約】【課題】設置施工が容易な簡単な構成により、地震の際、吊り天井が落下することによる被害の拡大を軽減する。また、吊り天井の周囲の隙間を体裁良く塞ぎ、その見映えを良くすると共に、屋内の気密性を向上させ、空調効率の向上を図る。【解決手段】上部のスラブなどから天井フレーム２を吊り材で吊り下ろした構造の吊り天井１の周囲に、横揺れを許容し得るように１／１００の層間変位に相当する寸法の間隙Ｃを設け、天井面５ａとほぼ同高位置の周囲の壁面Ｗａには、先端が前記天井面５ａの下方に位置するように、断面Ｌ字形の壁見切板１１を取り付けて上記間隙Ｃを隠蔽した。また、この壁見切板１１を落下不可にワイヤー１２で建物躯体構造部分に連結固定することとした。【選択図】図1 
0003102816.tif 000002
【実用新案登録請求の範囲】
【請求項１】
天井裏にファン・コイル・ユニットなどの空調機器が設置され、上部のスラブなどから天井フレームを吊り材で吊り下ろした構造の吊り天井において、
天井の端縁と、この端縁に向き合った壁面との間に、１/ １００の層間変位に相当する寸法の間隙が設けられ、かつ、この壁面には、先端が天井面の下方に位置するように、断面略Ｌ字形の壁見切板が取り付けられ、該壁見切板が落下不可にワイヤーで建物躯体構造部分に連結固定されたことを特徴とする吊り天井の耐震構造。
【考案の詳細な説明】
【技術分野】
【０００１】
本考案は、耐震性に優れた吊り天井の構造に関する。
【背景技術】
【０００２】
屋内天井面を構成する天井バネルが、建物躯体の天井面から垂下された吊持ボルトにフレームなどを介して吊り下げ支持されたシステム天井などの吊り天井は、その構造上、横方向の力に弱く、地震の際に横揺れし、周囲の壁面に衝突して破損を受けたり、あるいは支持部に応力が集中してフレームなどが撓み、支持された天井バネルや天井裏に設置された空調機器などが落下するおそれがあった。
【０００３】
そこで、従来、この種の吊り天井は、地震の際の横揺れを許容するように、その周囲の壁面との間にある程度の間隙を有するように設置されていた。
【０００４】
しかしながら、このように吊り天井の周囲に間隙を設けると、見栄えが悪く、またこの間隙から空気が流通し、屋内の空調効率も悪くなるため、この間隙を、吊り天井の横揺れを妨げないように塞ぐ必要があった。
【０００５】
この点に配慮された従来の吊り天井としては、図２に示したものがあった。これは、吊り天井２０の周囲の壁面Ｗに、先端（図２において右端）がこの吊り天井２０の周縁２０ａと向き合うように目地カバー２１を、ガイド金具２２を用いて上下方向に移動可能に取り付け、常時は、この目地カバー２１で隙間Ｃを塞いでおき、地震の際には、この目地カバー２１が、図３に示したように、天井の周縁２０ａとせり合って上方に逃げることにより、吊り天井２０の横揺れを妨げないようにしたものである。（例えば、特許文献１参照）。
【特許文献１】特開２０００−２９１１９８号公報（第３−４頁、第２図）
【考案の開示】
【考案が解決しようとする課題】
【０００６】
上述した従来の吊り天井の構造は、目地カバーの先端を天井の周縁と突き合わせた状態で天井の周囲に形成される隙間を塞ぐようになっており、しかもこの目地カバーは、天井の周縁とせり合って上方に逃げるように、その突合せ部分に傾斜を設け、かつ、壁面に上方移動可能に取り付けなくてはならず、寸法合わせが困難で、設置、施行に手間を要するという問題点があった。
【０００７】
また、地震の際、目地カバーは、吊り天井の上側に逃げるようになっているので、吊り天井の他方側が目地カバーと離間する方向に移動することと相まって、天井が壊れる程の大きな揺れを受けた場合、この天井を落下しないように支えることができず、天井バネルや、その上側に設置された空調機器などが落下するおそれがあり、このことにより、地震の際の被害がさらに大きくなるというおそれもあった。
【０００８】
本考案は、上述した従来の吊り天井が有していた問題点の解決を課題とする。
【課題を解決するための手段】
【０００９】
上記の問題点を解決するために、本考案の吊り天井の耐震構造では、天井裏にファン・コイル・ユニットなどの空調機器が設置され、上部のスラブなどから天井フレームを吊り材で吊り下ろした構造の吊り天井において、天井の端縁と、この端縁と向き合った壁面との間に、１/ １００の層間変位に相当する寸法の間隙を設け、かつ、この壁面には、先端が天井面の下方に位置するように、断面略Ｌ字形の壁見切板を取り付け、さらに該壁見切板を落下不可にワイヤーで建物躯体構造部分に連結固定したことを特徴とする。
【考案の効果】
【００１０】
上述したように本考案の吊り天井の耐震構造では、壁面と所定の間隙を有して設置された天井の周囲に、先端が天井面の下方に位置するように、枠状に壁見切板を取り付け、この壁見切板を落下不可にワイヤーで壁面に連結固定することとしたので、簡単な構成で、設置施工が容易であるにも関わらず、地震の際の多少の横揺れは、上記間隙で吸収され、吊り天井が壊れることが未然防止されるという効果がある。又、大きな揺れを受けて、万一、天井が壊れたとしても天井を構成した部材が直ちに落下することはなく、被害が最小限に抑えられるという効果もある。さらに吊り天井の周囲の間隙が壁見切板で塞がれるので、体裁が良く、空調効率も向上する。
【考案を実施するための最良の形態】
【００１１】
以下、本考案を図示した実施の形態に基づき詳細に説明する。
【００１２】
図1 は、本考案の吊り天井の耐震構造を示した要部断面図である。図示したようにこの吊り天井１は、従来公知のものと同様にメインＴバー３で吊り下げられ、所定間隔置きに配置されたクロスＴバー４，４同士の間に、このクロスＴバー４の下端両側に設けられた突出片４ａ，４ａで支持されるように、ビニールシート貼りのグラスウールや石膏ボードなどからなる天井材５を載置したものであり、上記メインＴバー３は、上部のスラブ（図示せず）などから吊持ボルト８やハンガー部材７などの吊り材で吊り下ろされた天井フレーム２に、ハンガー部材９を介して吊り下げ支持されている。そして、このように構成された吊り天井１の天井裏（建物躯体天面と天井材５との間）には、従来と同様にファン・コイル・ユニットなどの空調機器（図示せず）が、適宜設置されるようになっている。
【００１３】
なお、図１において符号４は、メインＴバー３をハンガー部材９の下端に固定するための挟持部材、６は、天井フレーム２の適宜箇所にねじ止め固定された振れ止め用のブレース材を示す。
【００１４】
ここにおいて本考案の吊り天井の耐震構造では、吊り天井１の横揺れを、ある程度、許容できるように、その周囲の壁面Ｗａとの間に比較的大きな間隙Ｃが形成されるようにしている。この間隙Ｃは、層間変位と称される建物の階層間の横ずれを示す比を目安として設定されており、具体的には、層間変位が、１／１００程度の数値となるように設定されている。つまり、天井の高さが６ｍの場合、吊り天井の周囲に６０ｍｍ程度の間隙が形成されるようにしている。
【００１５】
また、上記壁面Ｗａには、先端（図１において右端）が天井面５ａの下方に位置するように断面略Ｌ字形の壁見切板１１を取り付け、この壁見切板１１で上記間隙Ｃを塞ぐようにしている。したがって、この壁見切板１１は吊り天井１の周囲に枠状に取り付けられている。さらに本考案では、この壁見切板１１をワイヤー１２で建物躯体構造部分の壁面Ｗなどの堅牢な箇所に連結固定し、その落下を防止するようにしている。
【００１６】
本考案の吊り天井の耐震構造は、上記の構成を有している。
【００１７】
なお、上記壁面Ｗａは、内壁ボードで構成されており、壁見切板１１がねじ１３で固定されるようになっている。また図１において符号１４は、この壁見切板１１にワイヤー１２の一端を固定した金具、１５は、ワイヤー１２の他端を壁面Ｗに固定するためのアンカーボルトを示す。
【００１８】
次に上記構成を有する本考案の吊り天井が、地震の揺れを受けた時の働きについて述べる。
【００１９】
まず比較的小さな地震の揺れに対しては、吊持ボルト８を介して建物躯体の天井スラブ面などから吊り下げられた吊り天井１は、その周囲の壁面Ｗ（またはＷａ）との間に比較的大きな間隙Ｃが設けられ、また、この間隙Ｃを塞いだ壁見切板１１も吊り天井１の下方に位置しているため、ある程度、自由に揺動することができ、他のものに衝突して損傷を与えたり、天井自身が損傷を受けたりするということはない。また、このときの動きは、天井フレーム２の適宜箇所に、斜め方向に取り付けられたブレース材６である程度、抑制されるため、振幅が増幅されて必要以上に大きな揺れになり、損傷するというおそれもない。
【００２０】
このように本考案の吊り天井の耐震構造では、小さな地震に対しては、吊り天井１自体が揺れることにより、その損傷が効果的に防止されるようになっている。
【００２１】
また、建物自体が損傷を受けるような大きな地震の際には、吊り天井１も損傷を受けることは避けられないが、本考案の吊り天井の耐震構造では、天井の端縁部分の下側に壁見切板１１が、その周囲の壁面Ｗａから突出するように設けられ、かつ、この壁見切板１１は、建物躯体構造部の堅牢な箇所にワイヤー１２で落下不可に連結固定されているので、壁見切板１１が十分な強度を有していれば、例え、吊り天井１が壊れたとしても、その周縁部分がこの壁見切板１１で保持され、直ちに落下するということは防がれる。よって、屋内にいる人が天井からの落下物で怪我をするおそれが少なくなり、また、屋内の損傷も最小限に抑えられることとなる。
【００２２】
以上のようにして本考案の吊り天井の耐震構造では、地震時の被害が最小限に抑えられるものである。
【００２３】
また、その設置、施工に関しても壁見切板１１を吊り天井１の周囲の壁面Ｗ（またはＷａ）に取り付け、ワイヤー１２で落下不可に固定するだけであり、建物躯体壁面と吊り天井１との間の間隙Ｃに寸法誤差があっても何ら支障は無く、作業が容易、かつ能率的に行えるものである。
【００２４】
さらに本考案の吊り天井の耐震構造では、吊り天井１の周囲の間隙Ｃが、枠状に壁見切板１１で塞がれるので、見映えが良くなると共に、屋内空気の循環も無駄なく行えることとなり、空調効率も向上することとなる。
【図面の簡単な説明】
【００２５】
【図１】本考案に係る吊り天井の耐震構造の実施形態を示した要部断面図である。
【図２】従来の吊り天井の設置状態を示した要部断面図である。
【図３】図３に示した吊り天井の地震時の状態を示した要部断面図である。
【符号の説明】
【００２６】
１  吊り天井
２  天井フレーム
３  メインＴバー
４  クロスＴバー
４ａ  突出片
５  天井材
５ａ  天井面
６  ブレース材
７，９  ハンガー部材
８  吊持ボルト
１０  挟持部材
１１  壁見切板
１２  ワイヤー
１３  ねじ
１４  金具
１５  アンカーボルト
Ｗ，Ｗａ  壁面
【図１】
0003102816.tif 000003
【図２】
0003102816.tif 000004
【図３】
0003102816.tif 000005